(57)【特許請求の範囲】
【請求項１】
現在位置が圏内から圏外へ移行した場合、その移行がセル移動無しの移行と判断されるときは、圏外期間中のセルサーチは行わず、該移行前の圏内に係るセルＬ１における捕捉初期同期及び取得ロングコードを、次の圏外から圏内への復帰時の待ち受け処理に使用するようになっていることを特徴とするＣＤＭＡ携帯電話。
【請求項２】
現在位置が圏内から圏外へ移行した場合、その移行がセル移動無しの移行と判断されるときは、その移行がセル移動有りの移行と判断されるときよりも、該移行時以降セルサーチの頻度を低下させ、セルサーチにより新たな初期同期を捕捉しかつ新たなロングコードを取得するまでは、該移行前の圏内に係るセルＬ１における捕捉初期同期及び取得ロングコードに基づく待ち受け処理を維持するようになっていることを特徴とするＣＤＭＡ携帯電話。
【請求項３】
圏内から圏外へ移行するときの受信電界強度の低下速度が基準値Ｒ１以上である場合は、圏内から圏外への移行がセル移動無しと判断することを特徴とする請求項１又は２記載のＣＤＭＡ携帯電話。
【請求項４】
圏内から圏外への移行前の所定時間内のパスの相違に起因する信号到着時刻の時間差を調べ、その時間差が基準値Ｒ２未満である場合は、圏内から圏外への移行がセル移動無しと判断することを特徴とする請求項１〜３のいずれかに記載のＣＤＭＡ携帯電話。
【発明の詳細な説明】
【０００１】
【発明の属する技術分野】
この発明は、ＣＤＭＡ携帯電話に係り、詳しくは消費電力を節約できるＣＤＭＡ携帯電話に関するものである。
【０００２】
【従来の技術】
従来のＣＤＭＡ携帯電話では、現在位置が圏内から圏外へ移行すると、例えば２〜１０ｓｅｃの時間間隔で、セルサーチを定期的に実施して、基地局に対して初期同期の捕捉及びロングコードの取得を行い、次の圏内復帰時に、速やかに待ち受け処理が実施されるようになっている。
【０００３】
【発明が解決しようとする課題】
セルサーチ実施の時間間隔は、長いと、次の圏内復帰時に待ち受け処理へ入るまでの時間が遅れ、また、短いと、ＣＤＭＡ携帯電話のバッテリ残量を大幅に減らしてしまう。
【０００４】
この発明の目的は、電力消費量を抑えつつ、次の圏内復帰時には速やかに待ち受け処理に入ることのできるＣＤＭＡ携帯電話を提供することである。
【０００５】
【課題を解決するための手段】
この発明のＣＤＭＡ携帯電話によれば、現在位置が圏内から圏外へ移行した場合、その移行がセル移動無しの移行と判断されるときは、圏外期間中のセルサーチを中止し、該移行前の圏内に係るセルＬ１における捕捉初期同期及び取得ロングコードを、次の圏外から圏内への復帰時の待ち受け処理に使用するようになっている。
【０００６】
圏内から圏外へのＣＤＭＡ携帯電話の移行がセル移動無しの移行であるケース（以下、「ケース１」と言う。）としては、例えば、ＣＤＭＡ携帯電話のユーザが地上や屋外から基地局の未設置の地下街や建物内へ移動したときがある。ケース１では、携帯者が、次に地下街や建物から地上や屋外へ出てきたときは、入る前と同一のセルに係る圏内へ戻ることになり、初期同期及びロングコードは、圏外移行前のものが、圏内復帰後もそのまま使用できる。
【０００７】
こうして、ケース１では、圏外期間中のセルサーチを中止して、ＣＤＭＡ携帯電話の電力消費量を低減しつつ、圏内復帰時の速やかな待ち受け処理に対処できる。
【０００８】
この発明のＣＤＭＡ携帯電話によれば、現在位置が圏内から圏外へ移行した場合、その移行がセル移動無しの移行と判断されるときは、その移行がセル移動有りの移行と判断されるときよりも、該移行時以降セルサーチの頻度を低下させ、セルサーチにより新たな初期同期を捕捉しかつ新たなロングコードを取得するまでは、該移行前の圏内に係るセルＬ１において捕捉初期同期及び取得ロングコードに基づく待ち受け処理を維持するようになっている。
【０００９】
現在位置が圏内から圏外へ移行した場合、その移行がセル移動無しの移行と判断されるときは、その移行がセル移動有りの移行と判断されるときよりも、該移行時以降セルサーチの頻度を低下させることにより、移行後におけるＣＤＭＡ携帯電話の電力消費量を抑えることができる。また、セルサーチにより新たな初期同期を捕捉しかつロングコードを取得するまでは、該移行前の圏内に係るセルＬ１において捕捉初期同期及び取得ロングコードに基づく待ち受け処理を保持するので、ケース１において、圏内復帰したときは、ＣＤＭＡ携帯電話は直ちに待ち受け処理に入ることができる。そして、現在位置が圏内から圏外へ移行した後も、頻度は低下するものの、セルサーチの実施が確保されるので、移行がセル移動無しの移行とした判断に多少の誤りがあって、移行前のセルＬ１とは別のセルに係る圏内への復帰であったとしも、該別のセルに係る圏内における待ち受け処理に対処できる。
【００１０】
この発明のＣＤＭＡ携帯電話によれば、圏内から圏外へ移行するときの受信電界強度の低下速度が基準値Ｒ１以上である場合は、圏内から圏外から移行がセル移動無しと判断する。
【００１１】
ＣＤＭＡ携帯電話のユーザがセル内からセル外へ移動するときの受信電界強度（ＲＳＳＩ）の低下速度は、比較的緩やかであって、基準値Ｒ１未満であるのに対し、ＣＤＭＡ携帯電話のユーザが地上から基地局の設置のない地下街や建物等へ移動するときの受信電界強度の低下速度は、急激となり、基準値Ｒ１以上となる。したがって、今回の受信電界強度の低下速度が基準値Ｒ１以上であるときは、現在位置についての今回の圏内から圏外への移行はセル移動無しと判断できる。
【００１２】
この発明のＣＤＭＡ携帯電話によれば、圏内から圏外への移行前の所定時間内のパスの相違に起因する信号到着時刻の時間差を調べ、その時間差が基準値Ｒ２未満である場合は、圏内から圏外から移行がセル移動無しと判断する。
【００１３】
マルチパスは、基地局からの電波が建物等に反射してからＣＤＭＡ携帯電話に到達することにより生じる。現在位置が基地局に比較的近い場合には、パス差に起因するＣＤＭＡ携帯電話への電波到着時刻の時間差は、小さく、基準値Ｒ２未満となるのに対し、現在位置が基地局から比較的遠い場合には、建物等に反射して基地局から到着する電波のパスの長さが基地局から直接到着するパスの長さとの差が増大し、時間方向へ隣接して到着する到着時刻の時間差が、増大して、基準値Ｒ２以上となる。したがって、圏内から圏外への移行前の所定時間内のパス相違に起因する信号到着時刻の時間差が基準値Ｒ２未満である場合は、圏内から圏外から移行がセル移動無しと判断できる。
【００１４】
【発明の実施の形態】
以下、発明の実施の形態について図面を参照して説明する。
図１は圏外及び圏内におけるセルサーチ及び待ち受け処理の説明図である。待ち受け処理では、ＣＤＭＡ携帯電話１０は、複数個の基地局１２ａ，１２ｂ，１２ｃ・・・の中から現在位置をセル内にする１個の基地局を探し出し、該基地局に対する初期同期を捕捉し、かつ該基地局のロングコードを取得する。ＣＤＭＡ携帯電話１０が待ち受け処理を行うためには、現在位置が属しているセルを担当する基地局に対して、初期同期を捕捉することと、ロングコードを取得することとが必須となる。図１において、Ａは、ＣＤＭＡ携帯電話１０がセル移動有りの圏内から圏外へ移行したとき（以下、「ケースＡ」と言う。）のＣＤＭＡ携帯電話１０の処理状態を示し、Ｂは、ＣＤＭＡ携帯電話１０がセル移動無しの圏内から圏外へ移行したとき（以下、「ケースＢ」と言う。）のＣＤＭＡ携帯電話１０の処理状態を示している。また、ｔは時間経過を示し、Ａ，Ｂにおいて、横縞の部分はＣＤＭＡ携帯電話１０が待ち受け処理となっている期間を意味し、Ａにおいて、斜め縞の部分はＣＤＭＡ携帯電話１０がセルサーチを実施している期間を意味し、Ａにおいて白抜きの部分は、セルサーチにもかかわらず、初期同期の捕捉及びロングコードの取得ができず、待ち受け処理になっていない期間を意味している。さらに、ｔ１はＣＤＭＡ携帯電話１０が圏内から圏外へ移行した時刻を意味し、ｔ２は、ＣＤＭＡ携帯電話１０が、ｔ１以降で、次に圏外から圏内へ移行した時刻を意味する。ケースＡでは、時刻ｔ１以前の圏内に係るセル（以下、「セルＬ１」と言う。）と時刻ｔ２以降の圏内に係るセル（以下、「セルＬ２」と言う。）とが相違するので、時刻ｔ２においてＣＤＭＡ携帯電話１０が再び圏内となっても、時刻ｔ２以降の待ち受け処理に時刻ｔ１以前の初期同期及びロングコードが使用できない。これに対して、ケースＢでは、セルＬ１とセルＬ２とが同一となり、時刻ｔ２においてＣＤＭＡ携帯電話１０が再び圏内となると、時刻ｔ２以降の待ち受け処理に時刻ｔ１以前の初期同期及びロングコードがそのまま使用できる。ケースＡでは、ｔ１以降、セルサーチが定期的に（例：２〜１０ｓｅｃ）実施される。そして、時刻ｔ２以降に、最初に実施されたセルサーチにより、新しい基地局に対する初期同期を捕捉し、かつ新しい基地局からのロングコードを取得して、ＣＤＭＡ携帯電話１０は待ち受け処理の状態となる。これに対して、ケースＢでは、時刻ｔ１以前の待ち受け処理が、時刻ｔ１以降も、継続して実施され、そのまま、時刻ｔ２以降へ突入する。そして、ケースＢでは、時刻ｔ２以降のＰＣＨ（ページングチャンネル）時に、ＣＤＭＡ携帯電話１０は、基地局からの無線フレームタイミングに同期を取ることにより、受信動作を開始し、かつパスサーチを行って、複数個のパスの内で相関レベルの最大のパスを探索する。
【００１５】
ケースＡとケースＢとの区別は、例えば（ａ）受信電界強度（ＲＳＳＩ）や、（ｂ）マルチパスに起因する信号到着時刻の時間差により行う。ＣＤＭＡ携帯電話１０における受信電界強度（ＲＳＳＩ）は、同一基地局に対しては、該基地局から現在位置までの距離ｒが増大するに連れて徐々に減少するので、ケースＡでは、圏内から圏外への移行中、受信電界強度が徐々に減少する。これに対して、ケースＢは、例えばＣＤＭＡ携帯電話１０のユーザが基地局の未設置の建物内や地下街へ移動した場合であり、圏外から圏内への移行に伴い、受信電界強度は急激に減少する。したがって、圏内から圏外への移行時を含む所定時間内のＣＤＭＡ携帯電話１０における受信電界強度の低下速度が基準値Ｒ１以上か未満かを調べ、基準値Ｒ１以上の急激な減少の場合には、ケースＢと判断し、また、基準値Ｒ１未満の緩やかな減少の場合には、ケースＡと判断できる。
【００１６】
図２は基地局１２からＣＤＭＡ携帯電話１０までのマルチパスに起因する信号到着時刻の時間差の説明図である。図２においてｈ（ｔ）はＣＤＭＡ携帯電話１０の受信信号とパスサーチのコード（＝チャンネル識別符号列としてのショートコード、又はロングコード）との相関レベルである。ｔはチップを単位とする時間である。基地局１２からＣＤＭＡ携帯電話１０までのマルチパスのために、ＣＤＭＡ携帯電話１０は複数の異なる時刻において受信電波を受ける。すなわち、ＣＤＭＡ携帯電話１０は、基地局１２から直接、伝送されて来る電波と共に、建物１６等に反射して到達する電波とを受信する。したがって、ＣＤＭＡ携帯電話１０と基地局１２との間には、複数個のパスが存在することとなり、基地局１２から送信された電波は、各パスの長さに対応する到着時刻でＣＤＭＡ携帯電話１０に到達し、各パスからの受信電波の相関レベルｈ（ｔ）は、例えば図２のように分布する。ＣＤＭＡ携帯電話１０のユーザが、基地局１２から遠い所にいるとき程、各到着時刻の時間差は増大する。ここで、Ｒは、（ａ）時間方向へ隣接する到着時刻の対、（ｂ）ｈ（ｔ）の最大のものと最大のものから数えて所定番目のものとの到着時刻の時間差、又は（ｃ）時間方向へ隣接する到着時刻同士の時間差の複数個の平均値と、定義する。Ｒが基準値Ｒ２未満である場合にＣＤＭＡ携帯電話１０が圏内から圏外へ移行したときは、ＣＤＭＡ携帯電話１０が基地局１２へ十分に近いにもかかわらず、圏内から圏外へ移行したときであり、ケースＢと判断でき、また、Ｒが所定値Ｒ２以上であるときは、ＣＤＭＡ携帯電話１０が基地局１２へ遠くなった所で、圏内から圏外へ移行したときであり、ケースＡの可能性が強い。したがって、ＲとＲ２とを比較し、Ｒ＜Ｒ２のときは、ケースＡと判断する。
【図面の簡単な説明】
【図１】圏外及び圏内におけるセルサーチ及び待ち受け処理の説明図である。
【図２】基地局からＣＤＭＡ携帯電話までのマルチパスに起因する信号到着時刻の時間差の説明図である。
【符号の説明】
１０    ＣＤＭＡ携帯電話
１２ａ，１２ｂ，１２ｃ    基地局
【図１】
0003682201.tif 000002
【図２】
0003682201.tif 000003